(57)【要約】【課題】アンテナを設置するに際して技術者によるインピーダンスの最終調整を不要とする無線装置を提供し、利便性を向上させる。【解決手段】無線装置として、電磁波を送信または受信するアンテナを有するアンテナ具と、該アンテナ具と接続対象具とを連結する連結具とを備え、前記連結具は、前記アンテナ具と前記接続対象具とを接続するケーブルが備えられている。前記ケーブルは、前記アンテナのインピーダンスと電磁誘導のマッチングが取れる長さおよび誘電率に形成されている。前記連結具には、接続部が備えられ、各接続部に前記アンテナ具と前記接続対象具とが接続されると該アンテナ具と該接続対象具との位置関係が決定される構成である。【選択図】図２
2009111987.tif 000002
【特許請求の範囲】
【請求項１】
電磁波を送信または受信するアンテナを有するアンテナ具と、
該アンテナ具と接続対象具とを連結する連結具とを備え、
前記連結具は、
前記アンテナ具と前記接続対象具とを接続するケーブルが備えられた
無線装置。
【請求項２】
前記接続対象具は、アンテナ具またはリーダライタで構成された
請求項１記載の無線装置。
【請求項３】
前記ケーブルは、前記アンテナのインピーダンスと電磁誘導のマッチングが取れる長さおよび誘電率に形成された
請求項１または２記載の無線装置。
【請求項４】
前記連結具は、
接続部を有し、
該接続部に前記アンテナ具と前記接続対象具とが接続されると、該アンテナ具と該接続対象具との位置関係が決定される構成である
請求項１、２または３記載の無線装置。
【請求項５】
前記連結具は、
前記アンテナ具と前記接続対象具の位置関係を固定する程度または自重を支える程度の剛性素材により形成された
請求項１から４のいずれか１つに記載の無線装置。
【請求項６】
前記連結具に複数の前記ケーブルを備え、
前記アンテナ具のアンテナにどのケーブルを連結するか切り替える電気連結切替手段を備えた
請求項１から５のいずれか１つに記載の無線装置。
【請求項７】
前記ケーブルは、接続されたアンテナに対して、定在波を無くすか減少させることができる長さおよび誘電率に形成された
請求項１から６のいずれか１つに記載の無線装置。
【請求項８】
前記アンテナ具を略四角形の板状に形成してその四隅付近に前記連結具を接続する連結具接続部を備え、
前記連結具を一直線の棒状に形成した
請求項１から７のいずれか１つに記載の無線装置。
【請求項９】
前記連結具は、略コ字型形状に形成された
請求項１から７のいずれか１つに記載の無線装置。
【発明の詳細な説明】
【技術分野】
【０００１】
この発明は、例えばアンテナを用いて無線の電磁波を送信または受信するような無線装置に関し、特にＲＦＩＤタグと無線で通信してデータを受信するような無線装置に関する。
【背景技術】
【０００２】
従来、非接触ＩＣタグとリーダライタとがアンテナを用いて非接触でデータ通信できる無線装置が提供されている。このような無線装置では、アンテナのインピーダンスのマッチングを取る必要があり、アンテナの長さやアンテナに接続するケーブルの長さを調整する、あるいはコンデンサを接続して容量を調整するといったことが行われている。ここで、アンテナのインピーダンスは、周囲環境による影響を受ける。このため、無線装置は、製品完成前にインピーダンスのマッチングを最適化しても、製品が完成すると周囲環境の変化によりマッチングの最適化が完全ではなくなるという問題がある。
【０００３】
これを解決するべく、非接触ＩＣカードおよびそのアンテナ共振回路の調整方法が提案されている（特許文献１参照）。この方法は、コンデンサに熱変形物質を備えておき、製品完成後に熱等のエネルギーを局所的に作用させ、共振周波数を所望の値に変化させるものである。
【０００４】
しかし、この方法は、結局人手による最終調整が必要となるものである。このため、例えばゲートに設置するリーダライタ側のアンテナや、物流管理に用いるリーダライタ側のアンテナのインピーダンスを調整する場合に、技術者が設置現場に出向いて調整しなければならない。この問題は、複数のアンテナが設置されるとアンテナ同士の相互干渉が起こるため、アンテナ設置後に調整しなければ最適なマッチングが得られないことに起因する。従って、上述した方法は手間がかかるという問題点がある。
【０００５】
【特許文献１】特開２０００−２９８７１９号公報
【発明の開示】
【発明が解決しようとする課題】
【０００６】
この発明は、上述した問題に鑑み、アンテナを設置するに際して設置現場での技術者によるインピーダンスの最終調整を不要とする無線装置を提供し、利便性を向上させることを目的とする。
【課題を解決するための手段】
【０００７】
この発明は、電磁波を送信または受信するアンテナを有するアンテナ具と、該アンテナ具と接続対象具とを連結する連結具とを備え、前記連結具は、前記アンテナ具と前記接続対象具とを接続するケーブルが備えられた無線装置であることを特徴とする。
【０００８】
前記アンテナは、ループアンテナまたはＵＨＦアンテナ等、電磁波を送信または受信するアンテナで構成することができる。  
前記接続対象具は、アンテナ具、またはリーダライタ装置など、接続対象となるもので構成することができる。
【０００９】
この発明により、アンテナ具と接続対象具とを連結具の接続部に接続するだけで、設置現場で調整作業をせずとも良好な通信性能を得ることができる無線装置を構成でき、利便性を向上させることができる。
【００１０】
この発明の態様として、前記接続対象具は、アンテナ具またはリーダライタで構成することができる。  
これにより、例えば複数のアンテナ具を連結具の接続部に接続するだけでアンテナ具同士の相互干渉が起こる環境下で良好な通信性能を得る、または、アンテナ具とリーダライタを連結具の接続部に接続するだけで前記相互干渉が起こらない環境下で良好な通信性能を得るといったことができる。
【００１１】
またこの発明の態様として、前記ケーブルは、前記アンテナのインピーダンスと電磁誘導のマッチングが取れる長さおよび誘電率に形成されることができる。
【００１２】
インピーダンスと電磁誘導のマッチングが取れるとは、アンテナの性能を最大限またはほぼ最大に発揮できる状態、若しくは最大限ではないが十分に発揮できる状態をいい、例えばケーブルにおいて入力された信号の値と同一の値が出力されるような位相ずれのない状態やこれに近い状態とすることができる。  
この態様により、アンテナ具と連結具を接続するだけでインピーダンスのマッチングが取れた無線装置を構成でき、利便性を向上させることができる。
【００１３】
またこの発明の態様として、前記連結具には、接続部が備えられ、該接続部に前記アンテナ具と前記接続対象具とが接続されると該アンテナ具と該接続対象具との位置関係を決定する構成とすることができる。  
この態様により、アンテナ具と接続対象具とを連結具の接続部に接続するだけで、アンテナ具と接続対象具との位置関係を決定することができる。
【００１４】
またこの発明の態様として、前記連結具は、前記アンテナ具と前記接続対象具の位置関係を固定する程度または自重を支える程度の剛性素材により形成されることができる。  
前記剛性素材は、プラスチック等の樹脂部材、金属部材、あるいは木材など、位置関係を固定できる程度の剛性を有する部材または少なくとも自重を支える程度の剛性を有する部材で構成することができる。
【００１５】
この態様により、前記アンテナ具と前記接続対象具を連結具の接続部に接続するだけで、前記アンテナ具と前記接続対象具を適切な位置関係に配置することができる。従って、設置される環境を考慮したインピーダンスのケーブルを構成しておくことができ、利便性を向上させることができる。
【００１６】
またこの発明の態様として、前記連結具に複数の前記ケーブルを備え、前記アンテナ具のアンテナにどのケーブルを連結するか切り替える電気連結切替手段を備えることができる。
【００１７】
前記電気連結切替手段は、ダイヤル式で接続接点を切り替えるダイヤル型切替手段、または押しボタン式で接続接点を切り替えるボタン型切替手段など、電気連結を切り替えできる適宜の手段で構成することができる。
【００１８】
この態様により、どのケーブルをアンテナに接続するか容易に切り替えることができる。従って、アンテナ具をデイジーチェーン状に多段に物理接続した際に、内部のケーブルを各アンテナ具毎に配線した状態に容易にすることができる。
【００１９】
またこの発明の態様として、前記ケーブルは、接続されたアンテナに対して、定在波を無くすか減少させることができる長さおよび誘電率に形成されることができる。  
これにより、アンテナ具と連結具を接続するだけで定在波を防止した無線装置を構成でき、利便性を向上させることができる。
【００２０】
またこの発明の態様として、前記アンテナ具を略四角形の板状に形成してその四隅付近に前記連結具を接続する連結具接続部を備え、前記連結具を一直線の棒状に形成することができる。  
これにより、連結具でアンテナ具を複数段に接続してラック状やボックス状に構成することが容易にできる。
【００２１】
またこの発明の態様として、前記連結具を、略コ字型形状に形成することができる。  
これにより、複数のアンテナ具をタイル状に配置して連結具で連結することが容易にできる。
【発明の効果】
【００２２】
この発明により、アンテナを設置するに際して技術者によるインピーダンスの最終調整を不要とする無線装置を提供し、利便性を向上させることができる。
【発明を実施するための最良の形態】
【００２３】
この発明の一実施形態を以下図面と共に説明する。  
図１は、無線装置１の組み立て後の外観を示す斜視図であり、図２は、無線装置１の分解斜視図であり、図３は、無線装置１の部分拡大断面図であり、図４は、無線装置１の部分拡大平面図である。
【００２４】
図１に示すように、無線装置１は、アンテナ具１０（１０Ａ，１０Ｂ）と、連結具３０（３０Ａ，３０Ｂ）と、リーダライタ４０とで構成されている。
【００２５】
アンテナ具１０は、平面視が略四角形で厚さが略一定の板型に形成されている。これにより、取り扱いの容易性と拡張性を高めている。すなわち、厚さが略一定であるから、輸送時等に場所をとらずに重ねて輸送することができる。また、四角形であるから、横並びに並べることが容易であり、また重ねたときも向きの違いによる不ぞろいなどを防止できる。なお、アンテナ具１０の形状は、これに限らず、長方形や三角形や六角形などの多角形、あるいは円形や楕円形など、適宜の形状に形成することも可能である。
【００２６】
このアンテナ具１０の内部には、ループ状のアンテナ１５が設けられている。このアンテナ１５の有効通信範囲は、連結具３０の本体部３１（図２参照）の長さと同程度に構成されている。
【００２７】
アンテナ具１０の４つ角部分には、表裏両面に接続口１３が設けられている。この接続口１３は、正方形に形成されており、表裏の接続口１３が表裏対称に形成されている。なお、この接続口１３は、正方形に限らず、接続された連結具３０を固定できる多角形や楕円形の形状に形成する、あるいはネジやワンタッチのピン等の固定具によって固定できるように形成することができる。
【００２８】
４箇所に設けられた接続口１３の少なくとも１つには、切替ダイヤル２０が設けられている。この切替ダイヤル２０は、図４に示すように、平面視円形の操作円盤２２と、該操作円盤２２の回転操作に伴って回転する４つの接続端子２１とで構成されている。この切替ダイヤル２０により、図３に示す連結具３０の本体部３１内に設けられた４本の電気連結ケーブル３２のうちいずれの電気連結ケーブル３２をアンテナ具１０に接続するか切り替え可能としている。
【００２９】
なお、切替ダイヤル２０は、図２に示したアンテナ具１０の全ての接続口１３に設けるか、あるいはいくつかの接続口１３に設けてもよい。
【００３０】
連結具３０は、本実施例では四角柱形状であり、本体部３１の両端にコネクタ３３が設けられている。なお、四角柱形状に限らず、円柱形状や六角柱形状など、両端に接続するアンテナ具１０同士の間隔を確保できる適宜の形状に形成することができる。
【００３１】
図３に示すように、本体部３１内には、４本の電気連結ケーブル３２が収納されている。この電気連結ケーブル３２は、例えば同軸ケーブルとすることができる。各電気連結ケーブル３２の両端には、それぞれ接続端子３５が設けられている。この接続端子３５は、コネクタ３３の中に配置されている。この接続端子３５および電気連結ケーブル３２は、連結具３０の両端にアンテナ具１０が接続されて両アンテナ具１０による相互干渉が起こる状態で、リーダライタ４０からアンテナ１５まででインピーダンスのマッチングが取れる長さおよび材質に形成されている。
【００３２】
この長さの調整は、連結具３０を製造する際に、電気連結ケーブル３２の両端のインピーダンス値（R±ｊX［Ω］）を適宜のネットワークアナライザで計測し、不適切であれば端部を一部切断して再計測すること（カット＆トライ）の繰り返しにより調整しておくとよい。詳述すると、この調整は、電気連結ケーブル３２側からみたアンテナ１５のインピーダンス値（R±ｊX［Ω］）の実数部と虚数部の値に対し、アンテナ１５側から見た電気連結ケーブル３２のインピーダンス値（R±ｊX［Ω］）の実数部と虚数部の各絶対値が同一でかつ虚数部の正負が逆になっている値になるか、該値に近い値になるまで行う。これにより、電気連結ケーブル３２において入力された信号の値と同一の値が出力されるような位相ずれのない状態やこれに近い状態を得ることができ、インピーダンスのマッチングを取ることができる。なお、適宜の可変コンデンサを電気連結ケーブル３２に接続しておき、この可変コンデンサのキャパシタンスの値を変化させることで虚数部の値を調整してインピーダンスのマッチングを取るようにしてもよい。
【００３３】
連結具３０の外装は、強化プラスチックなどの剛性を有する素材で構成されている。このため、連結具３０を人手で曲げようとしても簡単に曲がらず、また図示するようにアンテナ具１０が棚になるように無線装置１を構成してアンテナ具１０上に物品を載せても連結具３０が曲がらない。
【００３４】
この連結具３０の構成により、コネクタ３３を接続口１３に接続すると、連結具３０の全ての接続端子３５が、切替ダイヤル２０の全ての接続端子２１に接続される。なお、コネクタ３３と接続口１３は、接続した後にネジ止めあるいは接着などにより固定すると良い。
【００３５】
アンテナ具１０の切替ダイヤル２０の４つのうち１つの接続端子２１は、図４に示すように、アンテナ接続ケーブル１６によりアンテナ１５に接続されており、残りの３つの接続端子２１は、表裏の接続口１３に接続された各連結具３０内の電気連結ケーブル３２同士を接続する。従って、アンテナ具１０の表裏の一方に接続されている４つの電気連結ケーブル３２のうち、１つはアンテナ１５に接続され、残りの３つはアンテナ具１０の反対側に接続されている連結具３０の電気連結ケーブル３２と１対１対応で接続される。この接続の詳細は、図５と共に後述する。
【００３６】
また、図２に示すように、アンテナ具１０の接続口１３の内側壁は、アンテナ具１０の平面に対して直角となるように形成されており、直線状に形成された連結具３０のコネクタ３３が殆ど隙間なく装着される。これにより、アンテナ具１０と連結具３０の角度が直角になるように構成されている。また、接続口１３は、同形状のコネクタ３３が接続され、アンテナ具１０と連結具３０が固定されるように構成されている。
【００３７】
リーダライタ４０は、平面視略四角形の板状に形成されており、４隅付近に接続口４３がそれぞれ設けられている。この接続口４３は、アンテナ具１０の接続口１３と同一形状に形成されている。また、接続口４３の少なくとも１つには、接続端子５１が設けられている。
【００３８】
このように接続口４３と接続口１３とを同一形状に形成していることで、互換性を高めている。すなわち、連結具３０の両端に設けられたコネクタ３３のどちらでも接続口４３と接続口１３に接続できる。従って、作業者は接続方向を意識する必要がなく、効率よく作業することができる。
【００３９】
なお、接続口４３と接続口１３とは、異なる形状にしてもよい。この場合は、連結具３０の両端のコネクタ３３も、一端と他端で異なる形状にするとよい。この場合は、連結具３０の接続方向を固定することができる。
【００４０】
図２に示すように、物理連結具３７は、本体部３８とコネクタ３９とを有し、電気連結ケーブル３２が省略された棒状部材である。この物理連結具３７は、電気導通せずにアンテナ具１０同士を接続し、図１に示す棚形状などの配置を安定させるものである。
【００４１】
図５は、無線装置１の内部構成を示すブロック図である。  
リーダライタ４０と最初の連結具３０Ｂは、４本の電気連結ケーブル３２（３２ａ〜３２ｄ）で接続されている。この４本の電気連結ケーブル３２は、最初のアンテナ具１０Ｂの切替ダイヤル２０に接続されている。ここで、アンテナ具１０Ｂの切替ダイヤル２０では、１本の電気連結ケーブル３２ａがアンテナ１５のアンテナ接続ケーブル１６に連結されており、残りの電気連結ケーブル３２ｂ〜３２ｄが次の連結具３０Ａに連結されている。
【００４２】
２段目の連結具３０Ａには、４本の電気連結ケーブル３２が存在しているが、このうち電気連結ケーブル３２ａは、リーダライタ４０に繋がっていない。これは、１段目の連結具３０Ｂの電気連結ケーブル３２ａが１段目のアンテナ具１０Ｂにてアンテナ１５に連結され、ここで２段目の連結具３０Ａ内の電気連結ケーブル３２ａへの通電が途絶えているためである。従って、この段階で有効なものは電気連結ケーブル３２ｂ〜３２ｄとなっている。
【００４３】
連結具３０Ａの４つの電気連結ケーブル３２ａ〜３２ｄは、いずれも２段目のアンテナ具１０Ａの切替ダイヤル２０に接続されている。そして、このアンテナ具１０Ａの切替ダイヤル２０では、電気連結ケーブル３２ｂがアンテナ１５のアンテナ接続ケーブル１６に連結されている。ここで電気連結ケーブル３２ｂは、前段（リーダライタ４０側）に存在するアンテナ具１０Ｂに連結した電気連結ケーブル３２ａと異なるものとする。
【００４４】
このようにして、リーダライタ４０に対して、１段目のアンテナ具１０Ｂは電気連結ケーブル３２ａで連結され、２段目のアンテナ具１０Ａは電気連結ケーブル３２ｂで連結されている。図示する例では２つのアンテナ具１０を接続しているが、連結具３０に４つの電気連結ケーブル３２が設けられているため、最大４つまでアンテナ具１０を連結することができる。
【００４５】
なお、この実施例ではアンテナ具１０の連結を４つまでとしているが、これに限らず多数連結できる構造にしてもよい。この場合、連結具３０に収納する電気連結ケーブル３２の数と切替ダイヤル２０の切替可能数を対応させて必要数設ければよい。
【００４６】
リーダライタ４０は、適宜の制御手段を有しており、各アンテナ具１０に対して、外部の非接触ＩＣタグと無線通信を実行させ、該非接触ＩＣタグからタグ情報を取得する。非接触ＩＣタグは、物流過程で物品に取り付けられたＲＦＩＤタグ、カード型の非接触ＩＣカードなど、アンテナを備えた適宜のタグで構成することができる。ここで、複数のアンテナ具１０を順番に動作させ、互いの電磁波を干渉させないことが好ましい。リーダライタ４０の制御信号は、連結具３０の電気連結ケーブル３２および切替ダイヤル２０を通じてアンテナ１５に伝達される。
【００４７】
以上の構成により、リーダライタ４０側のアンテナ具１０を複数設置するに際して技術者によるインピーダンスの最終調整を不要とする無線装置１を提供することができる。すなわち、電気連結ケーブル３２は、アンテナ具１０を接続した状態でインピーダンスのマッチングがとれるように構成されているため、作業現場でカット＆トライをする必要がなく、短時間で容易に設置することができる。
【００４８】
また、アンテナ具１０と連結具３０を接続するだけで、物理的な接続が確立して位置関係を決定することができると共に、電気的な連結が確立してインピーダンスのマッチングを図ることができる。
【００４９】
また、アンテナ具１０と連結具３０を接続するだけで、複数のアンテナ具１０の相対位置を適切な位置にすることができる。このため、無線装置１を設置現場に設置するだけで、特別な調整を行うことなく良好な通信性能を発揮できる。
【００５０】
詳述すると、連結具３０が剛性を有し、アンテナ具１０の接続口１３と連結具３０のコネクタ３３も剛性を有して精度良く形成されている。このため、接続口１３とコネクタ３３を接続すると、アンテナ具１０と連結具３０の角度が直角に定まって連結具３０の両側にあるアンテナ具１０の配置が平行となり、かつ、アンテナ具１０同士の配置間隔が定まる。従って、予定された適切な配置で設置することを容易に実行できる。
【００５１】
また、連結具３０内の電気連結ケーブル３２は、設置された状態のアンテナ具１０とインピーダンスのマッチングが取れるように構成されている。つまり、電気連結ケーブル３２は、アンテナのインピーダンスと電磁誘導のマッチングが取れる長さおよび誘電率に形成されている。また、電気連結ケーブル３２は、接続されたアンテナに対して、定在波を無くすか減少させることができる長さおよび誘電率に形成されることもできる。このため、設置現場に技術者が出向く必要がなく、誰でも簡単に無線装置１を設置できる。これにより、作業時間の短縮と設置時の人件費の削減を行うことができる。
【００５２】
また、アンテナ１５の有効通信範囲の高さが連結具３０の本体部３１の長さと同程度に構成されているため、複数のアンテナ具１０を連結具３０で接続するだけで、アンテナ具１０の間に存在する非接触ＩＣタグと通信できる状態を実現できる。また、アンテナ１５の有効通信範囲の面積は、アンテナ具１０のほぼ全面となっている。
【００５３】
また、無線装置１は、図６の斜視図に示すように、壁部材６９を付加して重箱として利用することもできる。この場合は、重箱内に非接触ＩＣタグを装着した物品を収納して管理するといったことができる。
【００５４】
また、図７の斜視図に示すように、無線装置１をゲート装置として利用することもできる。この場合、２つのアンテナ具１０を縦に設置し、これらの床側の接続口１３に連結具３０や物理連結具３７を接続すると良い。そして、仮想線に示すようにスロープ６５を設ける等して、歩行に支障のないようにすると良い。
【００５５】
このように、アンテナ具１０と連結具３０の組合せによって様々な用途に使用することができ、利便性を高めることができる。また、使用するアンテナ具１０の数も任意に決定できるため、利用者側の希望に応じて任意の数のアンテナ具１０を使用することができる。
【００５６】
なお、連結具３０は、棒状に限らず、図８に示すようにコ字型などの他の形状に形成してもよい。コ字型に形成した場合、アンテナ具１０を同一平面状に並べて配置することができ、例えばタイル状に配置して施設の床面に設置するといったことができる。また、図８では、全ての接続口１３に切替ダイヤル２０を備えており、任意の接続口１３に連結具３０を接続できるように構成している。各接続口１３にそれぞれ４つずつ設けられている接続端子２１（２１ａ〜２１ｄ）は、端子接続ケーブル１７ａ〜１７ｄにより互いに連結されている。
【００５７】
また、このコ字型に形成された連結具３０の中央に蝶番を設け、角度を変更できるように構成してもよい。この場合、連結具３０を真っ直ぐ伸ばして両端に接続したアンテナ具１０とリーダライタ４０をタイル状に配置する、連結具３０を直角に曲げてアンテナ具１０とリーダライタ４０を直角に配置するなど、アンテナ具１０とリーダライタ４０を適宜の形状に配置することが可能になる。
【００５８】
この場合、連結具３０の両端にアンテナ具１０とリーダライタ４０を接続した場合のように複数のアンテナ具１０による干渉が起こらない環境であれば、その環境に合わせて電気連結ケーブル３２のインピーダンスのマッチングが図られるよう構成されている。よって、設置現場で調整作業をせずとも良好な通信性能を得ることができる。
【００５９】
また、連結具３０を、外形の長さが伸縮可能なように形成し、伸長状態で電気連結ケーブル３２が内部でほぼ真っ直ぐになり、収縮状態で電気連結ケーブル３２が内部でたるんだ状態になるように構成にしてもよい。他にも、Ｌ字型に形成するなど、他の適宜の形状に形成してもよい。
【００６０】
これらの場合も、連結具３０の両端にアンテナ具１０とリーダライタ４０を接続した場合のように、電気連結ケーブル３２のインピーダンスのマッチングが図られるよう構成されていることで、設置現場で調整作業をせずとも良好な通信性能を得ることができる。
【００６１】
また、図９の斜視図に示すように、アンテナ具１０の上面２箇所の接続口１３にアーム６０を装着し、アンテナ具１０の下面４箇所の接続口１３に車輪６３をそれぞれ装着して、台車として使用することもできる。この場合、荷物を載せて運搬してきて、リーダライタ４０にコ字型の連結具３０で接続し、この瞬間にアンテナ具１０上に載せた荷物の非接触ＩＣタグを読取るといった運用ができる。
【００６２】
このようにして、様々な用途に無線装置１を利用することができる。そして、連結具３０の構成により、どのような用途で無線装置１を利用しても十分な無線通信機能を発揮させることができ、インピーダンスがマッチせずに通信距離が出ないといったことを防止できる。
【００６３】
また、連結具３０は、アンテナ具１０を２つ用いる場合、アンテナ具１０を３つ用いる場合、アンテナ具１０同士の間隔を広く設定したい場合といったように、アンテナ具１０の使用数や配置間隔に応じて複数種類準備してもよい。この場合、さらに利用者の希望に柔軟に対応することができる。
【００６４】
なお、上述した各実施例では、無線装置１を非接触ＩＣタグと通信する無線通信装置として利用したが、これに限らず、パッシブタグに電源供給する電源供給装置として利用することもできる。
【００６５】
この場合、例えば図８に示したようにアンテナ具１０をタイル状にして施設内に敷き詰め、常時電磁波を発しておくことで、室内に入るとパッシブタグが電源供給を受けて起動するという環境を実現できる。
【００６６】
また、無線装置１は、電磁波を検知するセンサとして利用することもできる。これにより、センサを設置したい環境に応じて、適宜の形状にセンサとなるアンテナ具１０を配置することができ、利便性の高いセンサ装置を提供できる。
【００６７】
また、上述した実施例では、アンテナ１５と切替ダイヤル２０を直接接続したが、適宜の電磁波制御基板を介して接続してもよい。この場合、アンテナ１５の動作をより良好にすることができる。
【００６８】
また、切替ダイヤル２０は、ダイヤル式に限らず、押しボタンによるスイッチなど、連結を切り替えることができる適宜のスイッチで構成することができる。この場合でも同一の機能を実現することができる。
【００６９】
また、電気連結ケーブル３２は、同軸ケーブルに限らず、送信用ケーブルと受信用ケーブルとを分離した構成とすることもできる。例えば、図１０は、切替ダイヤル２０を底面側から見た分解斜視図である。切替ダイヤル２０に各電気連結ケーブル３２に対応してそれぞれ２系統の接続端子８１，８２（第一接続端子８１ａ〜８１ｄ，第二接続端子８２ａ〜８２ｄ）を設け、ワンタッチで切り替えられる構成にすればよい。この構成の場合、２系統を用いて、一方を送信用信号ライン、他方を受信用信号ラインとして用いることができる。そして、切替ダイヤル２０を回転させるだけで、リーダライタ４０側から連結具３０により供給される４つの電気連結ケーブル３２のいずれをアンテナ１５に連結するか切り替えることができ、残り３つの電気連結ケーブル３２をアンテナ具１０の他方側に連結された連結具３０の電気連結ケーブル３２に連結することができる。
【００７０】
この発明の構成と、上述の実施形態との対応において、
この発明の接続対象具は、実施形態のアンテナ具１０およびリーダライタ４０に対応し、
以下同様に、
連結具接続部は、実施形態の接続口１３に対応し、
電気連結切替手段は、切替ダイヤル２０に対応し、
ケーブルは、電気連結ケーブル３２に対応し、
接続部は、コネクタ３３に対応するが、
この発明は、上述の実施形態の構成のみに限定されるものではなく、多くの実施の形態を得ることができる。
【図面の簡単な説明】
【００７１】
【図１】無線装置の組み立て後の外観を示す斜視図。
【図２】無線装置の分解斜視図。
【図３】無線装置の部分拡大断面図。
【図４】無線装置の部分拡大平面図。
【図５】無線装置の内部構成を示すブロック図。
【図６】重箱として利用する場合の無線装置の斜視図。
【図７】ゲート装置として利用する場合の無線装置の斜視図。
【図８】タイル状に配置して利用する場合の無線装置の斜視図。
【図９】台車として利用する場合の無線装置の斜視図。
【図１０】切替ダイヤルを底面側から見た分解斜視図。
【符号の説明】
【００７２】
１…無線装置、１０…アンテナ具、１３…接続口、１５…アンテナ、２０…切替ダイヤル、３０…連結具、３２…電気連結ケーブル、３３…コネクタ、４０…リーダライタ
【図１】
2009111987.tif 000003
【図２】
2009111987.tif 000004
【図３】
2009111987.tif 000005
【図４】
2009111987.tif 000006
【図５】
2009111987.tif 000007
【図６】
2009111987.tif 000008
【図７】
2009111987.tif 000009
【図８】
2009111987.tif 000010
【図９】
2009111987.tif 000011
【図１０】
2009111987.tif 000012